(57)【要約】【課題】昼間（明るい側から暗い側を見たとき）は、室内空間からの眺望景観を確保し、かつ、昼夜間を問わず、室外からの覗き見防止を実現すると共に、夜間の発光時においては、発光によるカーテン表示を可能とする、意匠性が高く、信頼性の高いカーテン状発光ユニットを実現することを課題とする。【解決手段】マジックミラー機能を有するＬＥＤ導光板を用いた面状発光ユニットの発光制御において、導光板の端面にＬＥＤ素子が対面させて設けられているＬＥＤバーモジュールが、所定の間隔で取り付けられている複数のＬＥＤ素子を一端側から他端側まで順番に点灯、あるいは消灯させ、カーテン状発光表示を行わせることを特徴とするカーテン状発光ユニットとするものである。【選択図】図３
2015158988.tif 000002
【特許請求の範囲】
【請求項１】
マジックミラー機能を有するＬＥＤ導光板を用いた面状発光ユニットの発光制御において、
導光板の端面にＬＥＤ素子が対面させて設けられているＬＥＤバーモジュールが、所定の間隔で取り付けられている複数のＬＥＤ素子を一端側から他端側まで順番に点灯、あるいは消灯させ、カーテン状発光表示を行わせることを特徴とするカーテン状発光ユニット。
【請求項２】
前記の複数のＬＥＤ素子を中心から両端側へ、あるいは両端側から中心に点灯あるいは消灯させ、カーテン状発光表示を行わせることを特徴とする請求項１に記載のカーテン状発光ユニット。
【請求項３】
。前記のＬＥＤ素子が、その最も輝度が高くなる光軸が導光板の端面に対して垂直から傾斜するように、該ＬＥＤ素子が傾けて設けられていることを特徴とする請求項１又は請求項２に記載のカーテン状発光ユニット
【請求項４】
前記のＬＥＤ素子は、その傾斜角度が有効照射角度の１／２の角度を傾けて取り付けられていることを特徴とする請求項３に記載のカーテン状発光ユニット。
【請求項５】
前記のＬＥＤ素子は、２個のＬＥＤ素子が１対として設けられており、２個のＬＥＤ素子が互いに外側に傾斜して１対で設けられていることを特徴とする請求項４に記載のカーテン状発光ユニット。
【請求項６】
前記のＬＥＤ素子が対面して設けられている導光板の端面にＬＥＤ素子の取り付け位置に対応して、ＬＥＤ素子から照射された光が屈曲し、光路が端面に対して垂直に真下に進むような角度となる切れ込みが設けられていることを特徴とする請求項１又は請求項２に記載のカーテン状発光ユニット。
【請求項７】
前記のＬＥＤ素子が対面して設けられている導光板の端面に、各ＬＥＤ素子間の中間の位置に対応して、スリット状の切れ込みが設けられていることを特徴とする請求項１又は請求項２に記載のカーテン状発光ユニット。
【請求項８】
前記のスリット状の切れ込みにおいて、切れ込み面の内面側が光を吸収する黒色となっていることを特徴とする請求項１又は請求項２に記載のカーテン状発光ユニット。
【請求項９】
前記のスリット状の切れ込みにおいて、切れ込み面の内面側が光を反射する鏡面となっていることを特徴とする請求項１又は請求項２に記載のカーテン状発光ユニット。
【請求項１０】
前記のスリット状の切れ込みにおいて、切れ込み面の内面において、一方が光を反射する鏡面で、他方が光を吸収する黒色となっていることを特徴とする請求項１又は請求項２に記載のカーテン状発光ユニット。
【請求項１１】
前記のＬＥＤ素子の先端部分に、照射した光が左右に広がらずに直進するように、筒状の導光管が設けられていることを特徴とする請求項１又は請求項２に記載のカーテン状発光ユニット。
【請求項１２】
前記のＬＥＤ素子が対面して設けられている導光板の端面に、該ＬＥＤ素子の取り付け位置に対応して、ＬＥＤ素子の幅に対応した直径であり、先端が細くなり尖った状態となる細孔が開けられていることを特徴とする請求項１又は請求項２に記載のカーテン状発光ユニット。
【請求項１３】
前記の細孔の軸線状に導光板の光拡散ドットが設けられていることを特徴とする請求項１又は請求項２に記載のカーテン状発光ユニット。
【請求項１４】
前記の導光板に印刷される光拡散ドットにおいて、該ドットに対して真上から照射された光に対して光を拡散するように、該ドットの中央部分は光を拡散する白色となっており、該ドットに対して斜めに照射された光を吸収するように、該ドットの左右の端部は光を吸収する黒色となっていることを特徴とする請求項１又は請求項２に記載のカーテン状発光ユニット。
【発明の詳細な説明】
【技術分野】
【０００１】
本発明は、マジックミラー機能を有するＬＥＤ導光板を用いた面状の発光ユニットにおいて、発光面をカーテンのように開閉式に発光制御することができるＬＥＤ導光板のカーテン状発光ユニットに関する。
【背景技術】
【０００２】
本出願願人らは、マジックミラー機能を有するＬＥＤ導光板を用いた面状の発光ユニット（特許第5288507号）による窓構造体を開発した（特願2013-36330）。
【０００３】
この窓構造体は、内側にハーフミラー層が設けられた透光性を有する面状発光体と、該面状発光体の内側と外側にガラス製の板体が設けられていることを特徴とする窓構造体であり、通常のマジックミラーの機能に加え、夜間においても、室外からの覗き見防止を実現するものである。
【先行技術文献】
【特許文献】
【０００４】
【特許文献１】特許第5288507号公報
【特許文献１】特願2013-36330号公報
【発明の概要】
【発明が解決しようとする課題】
【０００５】
特許文献１に記載の窓構造は、昼間は通常のマジックミラーとして機能し、夜間においては、ＬＥＤ導光板の機能とハーフミラーの機能により、窓全面が発光し、外部から内部が見通せない状態となる。
【０００６】
この窓の全面発光状態において、導光板の端面に並べられたＬＥＤを両端部からそれぞれ中心に向かって連続的に点灯させることにより、窓のカーテンを閉じるときのように光でカーテンを表現することができるものである。
【０００７】
しかしながら、ＬＥＤの発光素子は、光を照射する角度が概ね１２０℃になっており、順番に点灯させたり、消灯させたりしても、光の点灯部分と消灯部分の境界部分は、角度がついており、またぼけてしまうため、カーテンのような開閉状態とならない。
【０００８】
本発明は、上記の点を鑑みてなされたものであり、昼間（明るい側から暗い側を見たとき）は、室内空間からの眺望景観を確保し、かつ、昼夜間を問わず、室外からの覗き見防止を実現すると共に、夜間の発光時においては、発光によるカーテン表示を可能とする、意匠性が高く、信頼性の高いカーテン状発光ユニットを実現することを課題とする。
【課題を解決するための手段】
【０００９】
本発明の請求項１は、
マジックミラー機能を有するＬＥＤ導光板を用いた面状発光ユニットの発光制御において、導光板の端面にＬＥＤ素子が対面させて設けられているＬＥＤバーモジュールが、所定の間隔で取り付けられている複数のＬＥＤ素子を一端側から他端側まで順番に点灯、あるいは消灯させ、カーテン状発光表示を行わせることを特徴とするカーテン状発光ユニットである。
【００１０】
該マジックミラー機能を有するＬＥＤ導光板を用いた面状発光ユニットとは、すでに出願人が出願済の特許である、特許第5288507号公報に記載されているマジックミラーユニット及び特願2013- 36330号公報に記載の面状発光体である。
【００１１】
該導光板は、アクリル樹脂製板の片面に光拡散ドット（白色インク）が印刷されたものであり、アクリル樹脂板の端面からＬＥＤ素子により光を入光させ、光拡散ドットで散乱させる面状発光体である。アクリル樹脂は、透光性の高い物が好ましい。
【００１２】
該ドット粒子は、透光性を有する面状体の表面に印刷できるインクであり、点状（粒子状）に所定の間隔を開けて印刷できるものであればいずれでも良い。点（粒子）の形状は、円形、多角形などいずれでも良い。また、ＬＥＤ光の拡散効果に影響を及ぼすために、インクに各種の顔料、溶剤、金属粉、金属粒子などが混合されたものでも良い。
【００１３】
該ＬＥＤは、発光ダイオードであり、白色あるいは青色、赤色、黄色等、あるいはカラー発光するものでも良く、面状体の端面から光をスムーズに入光させることができるように、直線状に所定の間隔で並べて配置されたＬＥＤバーモジュールを使用することが好ましい。
【００１４】
該ＬＥＤ導光板にマジックミラー機能を付加するために、マジックミラーフィルムやマジックミラーガラス、マジックミラー樹脂板などを組み合わせて使用する。
【００１５】
該カーテン状の発光表示は、ＬＥＤ素子の制御において、一端側のＬＥＤ素子から他の端側のＬＥＤ素子までを順番に点灯させたり、逆に消灯させたりする、リレー制御であり、これによりスムーズなカーテン状発光制御を実現するものである。
【００１６】
本発明の請求項２は、前記の複数のＬＥＤ素子を中心から両端側へ、あるいは両端側から中心に点灯あるいは消灯させ、カーテン状発光表示を行わせることを特徴とするカーテン状発光ユニットである。
【００１７】
カーテン状発光表示としては、ＬＥＤバーモジュールを面状発光体の上部または下部あるいは両方に取り付けた場合の左右への開閉表示と、ＬＥＤバーモジュールを導光板の左または右あるいは両方の端面に取り付け上下に開閉表示させるようにしても良い。
【００１８】
本発明の請求項３は、前記のＬＥＤ素子が、その最も輝度が高くなる光軸が導光板の端面に対して垂直から傾斜するように、該ＬＥＤ素子が傾けて設けられていることを特徴とするカーテン状発光ユニットである。
【００１９】
該ＬＥＤ素子は、光軸を傾斜させて取り付けるために、ＬＥＤバーモジュールにＬＥＤ素子取付用の傾斜させた台を設け、その台にＬＥＤ素子を取り付けても良く、また、ＬＥＤ素子に傾斜した基台を取り付けたものをバーモジュールの基盤に取り付けたものでも良い。
【００２０】
本発明の請求項４は、前記のＬＥＤ素子は、その傾斜角度が有効照射角度の１／２の角度を傾けて取り付けられていることを特徴とするカーテン状発光ユニットである。
【００２１】
ＬＥＤ素子による光のアクリル導光板内での有効照射角度は、ほぼ８０°〜９０°程度である。その１／２の角度である、４０°〜４５°傾けて取り付けるものである。すなわち、１／２の角度で取り付けると、有効照射の方向は、導光板の端面に対して、垂直の方向から８０°〜９０°程度の角度までとなる。
【００２２】
これにより、リレー制御で順次発光させると、点灯部と消灯部の境界線は、導光板の端面にほぼ垂直なラインを表示することになり、スムーズなカーテン移動の発光表示が可能となる。
【００２３】
本発明の請求項５は、
前記のＬＥＤ素子は、２個のＬＥＤ素子が１対として設けられており、２個のＬＥＤ素子が互いに外側に傾斜して１対で設けられていることを特徴とするカーテン状発光ユニットである。
【００２４】
２個のＬＥＤ素子を互いに外側を向けて取り付けると、２個のＬＥＤ素子を両方点灯すると、アクリル導光板内での照射角度は１６０°〜１８０°程度になり、導光板の全面が発光する。
【００２５】
２個のＬＥＤの内の片方のみを点灯させると、前記に示すように、点灯部と消灯部の境界線がほぼ垂直となる。順番に点灯させると、カーテン状発光表示となり、１対の片方のみ点灯させた状態で移動表示を止めると、境界線はほぼ垂直の状態で停止することができる。
【００２６】
一対のＬＥＤ素子の各々のＬＥＤ素子の点灯のタイミングの間隔を異なるようにすると、カーテン移動表示がスムーズに見えることとなる。また、中央から右側のＬＥＤ素子の２個の点灯タイミングと、左側のＬＥＤ素子の点灯タイミングを反対にすることで、中央から左右に開くカーテン状発光表示もスムーズに移動発光表示が可能となる。
【００２７】
本発明の請求項６は、
前記のＬＥＤ素子が対面して設けられている導光板の端面にＬＥＤ素子の取り付け位置に対応して、ＬＥＤ素子から照射された光が屈曲し、光路が端面に対して垂直に真下に進むような角度となる切れ込みが設けられていることを特徴とするカーテン状発光ユニットである。
【００２８】
ＬＥＤ素子からアクリル導光板内に照射される光は、下方に向かって、８０°〜９０°程度の照射角度で照射される。この光を垂直方向に屈曲させるように、導光板の端面を切れ込みを入れるものである。例えば、ＬＥＤ素子に対応する導光板の端面に、三角形状の切れ込みを加工するものである。三角形の頂点の角度は８０°〜９０°程度が好ましい。三角形の頂点がＬＥＤ素子と同じ位置とすることが好ましい。
【００２９】
本発明の請求項７は、
前記のＬＥＤ素子が対面して設けられている導光板の端面に、各ＬＥＤ素子間の中間の位置に対応して、スリット状の切れ込みが設けられていることを特徴とするカーテン状発光ユニットである。
【００３０】
該スリットは、導光板の端面に対して垂直に、切り込まれたもので、スリット幅は、０．１〜２ｍｍ程度が良く、好ましくは０．５〜１．０ｍｍ程度が良い。深さは１０ｍｍ〜１００ｍｍ程度が良く、好ましくは２０ｍｍ〜５０ｍｍ程度が良い。
【００３１】
本発明の請求項８は、
前記のスリット状の切れ込みにおいて、切れ込み面の内面側が光を吸収する黒色となっていることを特徴とするカーテン状発光ユニットである。
【００３２】
光を吸収するものであれば黒色インク以外の物でも良い。スリット部から外側への光の拡散を遮断し、できる限り真下に照射させるものであり、カーテン状発光表示における境界線をできる限り、まっすぐになるようにしたものである。
【００３３】
本発明の請求項９は、
前記のスリット状の切れ込みにおいて、切れ込み面の内面側が光を反射する鏡面となっていることを特徴とするカーテン状発光ユニットである。
【００３４】
該鏡面は、ＬＥＤ光を反射できるものであればいずれでも良く、スリット部で内側に反射させ、スリット部を境にその外側へに光の散乱を防止し、カーテン状発光表示における境界線をできる限り、まっすぐになるようにしたものである。
【００３５】
本発明の請求項１０は、
前記のスリット状の切れ込みにおいて、切れ込み面の内面において、一方が光を反射する鏡面で、他方が光を吸収する黒色となっていることを特徴とするカーテン状発光ユニットである。
【００３６】
本発明の請求項１１は、
前記のＬＥＤ素子の先端部分に、照射した光が左右に広がらずに直進するように、筒状の導光管が設けられていることを特徴とするカーテン状発光ユニットである。
【００３７】
該筒状の導光管は、ＬＥＤ素子の照射部に筒状の管を被せたものであり、ＬＥＤ素子の照射部から照射された光がほぼ直進するようにし、広がらないようにするものである。
【００３８】
本発明の請求項１２は、
前記のＬＥＤ素子が対面して設けられている導光板の端面に、該ＬＥＤ素子の取り付け位置に対応して、ＬＥＤ素子の幅に対応した直径であり、先端が細くなり尖った状態となる細孔が開けられていることを特徴とするカーテン状発光発光ユニットである。
【００３９】
該細孔の孔径は、ＬＥＤ素子の外形サイズと同様とし、孔の深さは、１０ｍｍ〜１００ｍｍ程度が良く、さらに好ましくは、２０ｍｍ〜５０ｍｍ程度が良い。
【００４０】
本発明の請求項１３は、
前記の細孔の軸線状に導光板の光拡散ドットが設けられていることを特徴とするカーテン状発光ユニットである。
【００４１】
本発明の請求項１４は、
前記の導光板に印刷される光拡散ドットにおいて、該ドットに対して真上から照射された光に対して光を拡散するように、該ドットの中央部分は光を拡散する白色となっており、該ドットに対して斜めに照射された光を吸収するように、該ドットの左右の端部は光を吸収する黒色となっていることを特徴とする請求項１又は請求項２に記載のカーテン状発光ユニットである。
【００４２】
該ドットの中央部の白色は、光を拡散する白色インクなどが使用できる。該ドットの左右の端部の黒色は、光を吸収する黒色インクが使用できる。
【発明の効果】
【００４３】
本発明によれば、以下の効果を奏する。
１）面状発光ユニットにおいて、光面が上下左右に移動するように見える、光のカーテン状表示が可能となる。
【００４４】
２）カーテン状表示において、光面が中心から両端部に、また両端部から中心部へ移動するように見える、両開きのカーテン状表示を実現できる。
【００４５】
３）カーテン状表示において、点灯部と消灯部の境界線が垂直線となり、スムーズなカーテン動作を実現できる。
【００４６】
３）向きを変えた２個のＬＥＤ素子を一対として順番に点灯あるいは消灯させて制御することにより、光の移動がスムーズになる。
【００４７】
４）有効照射角度の１／２の角度を傾けることにより、片側の有効照射限界線が下向きとなり、光の境界線が導光板の端面に対して垂直となる。
【００４８】
５）光が屈曲して光路が真下に変更されるように、導光板の端面に切れ込み加工することにより、ＬＥＤ素子を特別に調整することなく、導光板の加工のみにより、光の境界線を垂直線となるように調整できる。
【００４９】
６）導光板の端面にスリット状の切れ込みを入れることにより、ＬＥＤ素子を特別に調整することなく、光の境界線を垂直線となるように調整できる。
【００５０】
７）導光板の端面のスリット状の切れ込みの内面を鏡面とすることにより、光の境界線を鮮明にすることができる。
【００５１】
８）導光板の端面のスリット状の切れ込みの内面を黒色とすることにより、光を吸収し、光の境界線を鮮明にすることができる。
【００５２】
９）導光板の端面に細孔を設けることにより、ＬＥＤ光が広がらずに絞られた光とすることができる。また、対応するドットのみを発光させることができる。
【００５３】
１０）ドットの左右の両端部を黒色とすることにより、上部からの光のみを発光させことができ、斜めからの光を吸収することができ、光の境界線を明確に表示できる。
【００５４】
１１）ＬＥＤ光の光特性を活かした、種々の発光による今までにない発光表示を実現できる。
【００５５】
１２）カラーＬＥＤを用いることにより、カラードット粒子との組み合わせにより、様々な光の表現が可能であり、今までにない、カラフルでユニークなデザインが可能となる。アピール性の高い宣伝広告用パネルにも使用できる。
【図面の簡単な説明】
【００５６】
【図１】本発明によるカーテン状発光ユニットの音開きのカーテン状発光状態を示す図である。
【図２】ＬＥＤ導光板の上端部に設けられるＬＥＤバーモジュールのＬＥＤ素子の配置状態及びその発光状態を示す模式図である。
【図３】本発明によるＬＥＤバーモジュールを用いたカーテン状発光制御を示す模式図である。
【図４】本発明によるＬＥＤ導光板を用いたカーテン状発光制御を示す模式図である。
【図５】本発明による他のＬＥＤ導光板を用いたカーテン状発光制御を示す模式図である。
【図６】本発明による他のＬＥＤ導光板を用いたカーテン状発光制御を示す模式図である。
【図７】本発明による他のＬＥＤ導光板を用いたカーテン状発光制御を示す模式図である。
【発明を実施するための形態】
【００５７】
本発明によるカーテン状発光ユニットを窓に使用した場合の実施の一形態を、図１に基づいて説明する。
【００５８】
図１は、観音開きのカーテン状発光状態を示す。
【００５９】
本実施の形態のカーテン状発光ユニット１は、アクリル樹脂製板の内側面にドット粒子が印刷されたＬＥＤ導光板２の上部端面に、複数のＬＥＤ素子が直線状に取り付けられたＬＥＤバーモジュール３がその上端面に対面して設けられており、そのアクリル樹脂製板の内外面を２枚のガラス板で挟み込み、内面側のガラス板の内部側にマジックミラーシートが貼付され、サッシ枠４で固定され、窓構造ユニットを構成している。
【００６０】
該導光板４は、透明で、透光性の高いアクリル樹脂製のものが使用されている。ＬＥＤバーモジュール３は、ＬＥＤチップがアルミ製基板上に所定の間隔で一列に配置されたＬＥＤ発光装置である。ＬＥＤチップは単色、カラー色、いずれを用いても良い。ＬＥＤ光がアクリル樹脂板の内部に適切に入光するように、ＬＥＤ発光面は、アクリル樹脂板の端面にしっかりと対面させて設置する。
【００６１】
該ガラス板は、一般建築用の窓ガラスに使用するガラス板を使用できる。マジックミラーシートは、市販されているマジックミラーシートを使用でき、反射率は７０％〜９０％程度のものが好ましく、マジックミラーシートを貼付するのではなく、マジックミラーガラスを使用しても良い。
【００６２】
アクリル樹脂製のＬＥＤ導光板２を内外面からガラス板で挟み込んだ状態でサッシ枠４により、固定されている。従来の２重ガラス窓のサッシ枠を使用しても良い。
【００６３】
該マジックミラーシートは、アルミニウムや銀等の光線反射率の高い金属によって、所定の光線透過率（光線反射率）を有するように設けられた薄膜層がコーティング形成されたシートである。
【００６４】
このような構成によるＬＥＤ導光板２による発光ユニット１は、上部のＬＥＤバーモジュール３の取り付けられたＬＥＤ素子を両端側から順番に点灯されることにより、図１に示すように、中心側の消灯部５に対して、両側の発光部６ａ、６ｂが図中の矢印７に示すように中心側に向かって光が移動するように発光し、カーテン状に光を表現することができるものである。
【００６５】
図２は、ＬＥＤ導光板の上端部に設けられるＬＥＤバーモジュールのＬＥＤ素子の配置状態及びその発光状態を示す模式図である。
【００６６】
ＬＥＤバーモジュール３には、ＬＥＤ素子８ａ、８ｂ、８ｃが一定の間隔で取り付けられている。この状態で、ＬＥＤ素子を点灯すると、（１）に示すように、ほぼ８０°〜９０°の照射角度で下方に向かって照射される。
【００６７】
このＬＥＤバーモジュール３のＬＥＤ素子を左側から８ａ、８ｂ、８ｃの順番に点灯させると、（２）に示すように、照射角度に従って、点灯部９と消灯部１０の光の境界線１１は斜めの曲線となり、カーテン状に点灯移動して表現されるが、境界線は垂直にはならない。
【００６８】
図３は、本発明によるＬＥＤバーモジュールを用いたカーテン状発光制御を示す模式図であり、ＬＥＤバーモジュール１３に取り付けられるＬＥＤ素子を２個（１２Ｌ、１２Ｒ）を一組として、互いに外側に向けて、照射角度に対して１／２の角度傾けて取り付けたものである。
【００６９】
図に示すように、ＬＥＤバーモジュール１３に三角状のＬＥＤ素子の取付台１４が設けられており、この取付台の左右の三角の面に各々ＬＥＤ素子１２Ｌ、１２Ｒが取付けられている。
【００７０】
この状態でＬＥＤ素子１２Ｌ、１２Ｒを点灯すると、ＬＥＤの照射角度は、最大で９０°程度であり、（１）に示すように、各々の内側の照射限界線１５Ｌ、１５Ｒが垂直線となり、外側の照射限界線１６Ｌ、１６Ｒは、ほぼ水平線となり、ＬＥＤ導光板全体が発光する。
【００７１】
この状態で左側のＬＥＤ素子１２Ｌを消灯すると、（２）に示すように、ＬＥＤ素子１２Ｒの点灯により、光の発光部は、左側の境界線１５Ｒから右側の境界線１６Ｒまでとなる。
【００７２】
このように２個のＬＥＤ素子を互いに外側に向けて照射角度の１／２の角度を傾けて取り付けることにより、片側から順番に点灯すると、光の境界線が垂直線状となって発光移動し、カーテン状の発光表示となる。
【００７３】
図４は、本発明によるＬＥＤ導光板を用いたカーテン状発光制御を示す模式図である。
【００７４】
このカーテン状発光制御は、ＬＥＤバーモジュールの構成を工夫することでＬＥＤの照射角度を変更するものではなく、ＬＥＤモジュールを従来のままとし、ＬＥＤ導光板側を工夫することにより、カーテン状発光を実現するものである。
【００７５】
すなわち、図に示すように、ＬＥＤ素子１７ａ、１７ｂの取り付け位置に対応して、ＬＥＤ素子１７ａ、１７ｂから照射された光が屈曲し、光路が端面に対して垂直に真下方向に進むような角度となる切れ込みを導光板の端面に設けるものである。
【００７６】
アクリルの屈曲率を１．４９とすると、ＬＥＤ素子から照射された光がアクリル導光板の端面から入光した場合、垂直線から、ほぼ４２．２°の角度が限界照射角度となる。
【００７７】
したがって、切れ込み面１８の角度は、端面に対して４０°〜４５°程度が好ましく、三角形状の切れ込みとすれば、その頂点がＬＥＤ素子の位置に対応するように設けることが好ましい。
【００７８】
図５は、本発明による他のＬＥＤ導光板を用いたカーテン状発光制御を示す模式図である。
【００７９】
前記のＬＥＤ素子８ａ、８ｂが対面して設けられているＬＥＤ導光板１９の端面１９ａには、各ＬＥＤ素子間の中間の位置に対応して、スリット状の切れ込み２０が設けられている。
【００８０】
該スリット２０は、図に示すように、ＬＥＤ導光板１９の端面１９ａに対して垂直に、切り込まれたもので、スリット幅は、１ｍｍであり、深さは５０ｍｍである。
【００８１】
（１）のスリット２０は、その内側面が鏡面２１となっており、この鏡面２１でＬＥＤ素子８ａ、８ｂから発せられた光が内側の鏡面２１で反射し、光はスリット２０より外側に広がらず、下方へ照射されることになる。
【００８２】
ここで、ＬＥＤ素子を順番に点灯させると、スリット部２０で光が下方に屈曲するので、カーテン状の発光となる。
【００８３】
（２）のスリット２０は、その内面が黒色２２に彩色されており、この黒色のスリット面２２で光が吸収される。
【００８４】
ここで、ＬＥＤ素子を順番に点灯させると、スリット部２０で光が吸収されてスリット２０より外側に光が広がらないので、カーテン状の発光となる。
【００８５】
図６は、本発明による他のＬＥＤ導光板を用いたカーテン状発光制御を示す模式図である。
【００８６】
（１）は、ＬＥＤ素子８ａ、８ｂの先端部分に、照射した光が左右に広がらずに直進するように、筒状の導光管２３が設けられているものである。
【００８７】
該筒状の導光管２３は、ＬＥＤ素子８ａ、８ｂの照射部に筒状の管を被せたものであり、ＬＥＤ素子８ａ、８ｂの照射部から照射された光がほぼ直進するようにし、広がらないようにするものである。
【００８８】
これにより、ＬＥＤ素子８ａ、８ｂからの光は、下方に向かって直線的に照射され、その照射線上に位置する光拡散ドット２４が発光することとなる。
【００８９】
ここで、ＬＥＤ素子を順番に点灯させると、導光管２３の位置に対応した光拡散ドット２４が発光するので、カーテン状の発光となる。
【００９０】
（２）は、ＬＥＤ素子８ａ、８ｂが対面するＬＥＤ導光板の端面１９ａの位置に、ＬＥＤ素子８ａ、８ｂの幅に対応した直径であり、先端が細くなり尖った状態となる細孔２５が開けられているものである。
【００９１】
該細孔２５の孔径は、ＬＥＤ素子８ａ、８ｂの外形サイズと同様とし、孔の深さは、５０ｍｍとした。
【００９２】
これにより、ＬＥＤ素子８ａ、８ｂからの光は、細孔２５内を下方に向かって直線的に照射され、その照射線上に位置する光拡散ドット２４が発光することとなる。
【００９３】
ここで、ＬＥＤ素子を順番に点灯させると、細孔２５の位置に対応した光拡散ドット２４が発光するので、カーテン状の発光となる。
【００９４】
図７、本発明による他のＬＥＤ導光板を用いたカーテン状発光制御を示す模式図である。
【００９５】
ＬＥＤ導光板２に印刷される光拡散ドット２４において、（１）に示すように、該光拡散ドット２４に対して真上から照射された光（光路１）に対して光を拡散するように、該ドット２４の中央部分は光を拡散する白色部２４ａとなっており、該ドット２４に対して斜めに照射された光（光路２）を吸収するように、該ドット２４の左右の端部は光を吸収する黒色２４ｂとなっている。
【００９６】
（２）に示すように、該拡散ドット２４の中央部の白色部２４ａは、光を拡散する白色インクなどが使用できる。該ドット２４の左右の端部の黒色２４ｂは、光を吸収する黒色インクが使用できる。
【００９７】
ＬＥＤ素子８ｂから真下方向に照射された光、光路１では、（３）に示すように、中央の白色ドット部２４ａに光が照射され、発光する。
【００９８】
ＬＥＤ素子８ａから斜め方向に照射された光、光路２では、（４）に示すように、左右端部の黒色ドット部２４ｂに光が照射され、その光は吸収され、発光しない。
【００９９】
ここで、ＬＥＤ素子を順番に点灯させると、真下方向の光路１に対応した光拡散ドット２４ｘは発光するが、斜め方向の光路２に対応した光拡散ドット２４ｙは発光しないので、カーテン状の発光表示となる。
【０１００】
以上のように、本発明によるカーテン状発光ユニットを用いることにより、光の境界面が直線的に表現できるカーテン状発光表示が可能となり、光のカーテンを実現でき、今までにないユニークな発光デザインとすることが可能である。
【０１０１】
尚、本発明の発光ユニットを用いた窓によれば、日中は、マジックミラー効果により、室内側からの眺望景観の確保と室外側からの覗き見防止が実現され、夜間は、発光効果により、室外側からの覗き見防止が実現されると共に、カーテンやブラインドを必要としない光のカーテンとなる。
【０１０２】
また、本発明による発光ユニットは、窓構造を有したどのような被取付物（例えば、ビルの窓、電飾看板、掲示板、店舗のショーウィンドウ、エレベータ外面窓、パーテーション等）に対しても適用できる。そして、室外側をライトアップすることにより、室内側からの眺望景観の確保、室外側からの覗き見防止、さらには、室外側から見える被取付物の外観のデザイン性の向上を図ることができるものである。
【０１０３】
さらに、本発明による発光ユニットは、発光装置が窓枠内に収まるため、様々な窓に適用可能である。例えば、電車や自動車などの窓にも適用可能である。
【符号の説明】
【０１０４】
１  カーテン状発光ユニット
２  ＬＥＤ導光板
３  ＬＥＤバーモジュール
４  サッシ枠
５  消灯部
６ａ、６ｂ  発光部
７  矢印
８ａ、８ｂ、８ｃ  ＬＥＤ素子
９  点灯部
１０  消灯部
１１  光の境界線
１２Ｌ、１２Ｒ  ＬＥＤ素子
１３  ＬＥＤバーモジュール
１４  ＬＥＤ素子の取付台
１５Ｌ、１５Ｒ  内側照射限界線
１６Ｌ、１６Ｒ  外側照射限界線
１７ａ、１７ｂ  ＬＥＤ素子
１８  切れ込み面
１９  ＬＥＤ導光板
１９ａ  端面
２０  スリット
２１  鏡面
２２  黒色面
２３  導光管
２４  光拡散ドット
２４ａ  白色部
２４ｂ  黒色部
２５  細孔
【図１】
2015158988.tif 000003
【図２】
2015158988.tif 000004
【図３】
2015158988.tif 000005
【図４】
2015158988.tif 000006
【図５】
2015158988.tif 000007
【図６】
2015158988.tif 000008
【図７】
2015158988.tif 000009